(57)【要約】【課題】通話の着信やメッセージの受信を契機に、端末の位置情報を送信する。【解決手段】携帯端末１０は、通信端末１５０から通話の着信やメッセージの受信を行った際、当該通話の発信元やメッセージの送信元を特定し、それらが位置情報の送信許可リストに入っている場合には、ＧＰＳ５を介して取得した端末の位置情報を通知する。また、携帯端末１０は過去に操作が行われた時刻とそのときの位置情報とを記憶部に記憶させることで、端末の移動履歴も同時に通知することが可能である。【選択図】図１
2015012511.tif 000002
【特許請求の範囲】
【請求項１】
他の端末との間で通話を行う通話機能と、端末の現在位置を取得する現在位置取得機能とを備えた携帯端末であって、
前記他の端末からの通話の着信を検知する着信検知手段と、
前記検知した着信について、発信元である前記他の端末の電話番号又は電話番号と同等な識別子である電話番号等を取得する電話番号取得手段と、
前記取得した電話番号等が、予め前記携帯端末の記憶部に記憶されている位置情報送信許可リストに含まれるか否かを判断する電話番号認証手段と、
前記判断の結果、前記取得した電話番号等が位置情報送信リストに含まれていた場合に、前記着信した通話に応答し、前記携帯端末の現在位置を、当該通話を介して通知する現在位置通知手段と、
を備えることを特徴とした携帯端末。
【請求項２】
他の端末との間でメッセージの送受信を行うメッセージ送受信機能と、端末の現在位置を取得する現在位置取得機能とを備えた携帯端末であって、
前記他の端末からのメッセージの受信を検知するメッセージ受信検知手段と、
前記検知した受信に係るメッセージについて、送信元である前記他の端末のメールアドレス又はメールアドレスと同等な識別子であるメールアドレス等を取得するメールアドレス取得手段と、
前記取得したメールアドレス等が、予め前記携帯端末の記憶部に記憶されている位置情報送信許可リストに含まれるか否かを判断するメールアドレス認証手段と、
前記判断の結果、前記取得したメールアドレス等が位置情報送信許可リストに含まれていた場合に、前記受信したメッセージに返信し、前記携帯端末の現在位置を、当該返信メッセージを介して通知する現在位置通知手段と、
を備えることを特徴とした携帯端末。
【請求項３】
前記メッセージがショートメッセージングサービスを介して送信されたものであって、前記メールアドレス等が電話番号である時に、前記現在位置通知手段において、返信メッセージではなく当該電話番号に対して通話を発信し、当該通話を介して前記携帯端末の現在位置を通知することを特徴とした請求項２に記載の携帯端末。
【請求項４】
前記携帯端末に対して操作が行われた時刻と、当該時刻における当該携帯端末の位置情報とを記憶部に記憶させる移動履歴記録手段を備え、
前記現在位置通知手段において、前記携帯端末の現在位置に加えて、過去に当該携帯端末に対して操作が行われた時刻と、当該時刻における当該携帯端末の位置情報との少なくともいずれかを送信することを特徴とした請求項１乃至３のいずれか一項に記載の携帯端末。
【請求項５】
他の端末との間で通話を行う通話機能と、端末の現在位置を取得する現在位置取得機能とを備えた携帯端末が実行する位置情報通知方法であって、
前記他の端末からの通話の着信を検知するステップと、
前記検知した着信について、発信元である前記他の端末の電話番号又は電話番号と同等な識別子である電話番号等を取得するステップと、
前記取得した電話番号等が、予め前記携帯端末の記憶部に記憶されている位置情報送信許可リストに含まれるか否かを判断するステップと、
前記判断の結果、前記取得した電話番号等が位置情報送信許可リストに含まれていた場合に、前記着信した通話に応答し、前記携帯端末の現在位置を、当該通話を介して通知するステップと、
を備えることを特徴とした位置情報通知方法。
【請求項６】
他の端末との間で通話を行う通話機能と、端末の現在位置を取得する現在位置取得機能とを備えた携帯端末に、
前記他の端末からの通話の着信を検知するステップ、
前記検知した着信について、発信元である前記他の端末の電話番号又は電話番号と同等な識別子である電話番号等を取得するステップ、
前記取得した電話番号等が、予め前記携帯端末の記憶部に記憶されている位置情報送信許可リストに含まれるか否かを判断するステップ、
前記判断の結果、前記取得した電話番号等が位置情報送信許可リストに含まれていた場合に、前記着信した通話に応答し、前記携帯端末の現在位置を、当該通話を介して通知するステップ、
を実行させることを特徴とした携帯端末用プログラム。
【発明の詳細な説明】
【技術分野】
【０００１】
本発明は、通話の着信やメッセージの受信を契機に端末の位置情報を通知する携帯端末、位置情報通知方法、及び携帯端末用プログラムに関する。
【背景技術】
【０００２】
近年、公衆回線網に接続された携帯端末をＷｅｂサーバ等と接続することで、ユーザに様々なサービスが提供されている。特に、スマートフォン（高機能携帯電話）の登場により、従来、パソコンに対して行われていた高度なサービスを、携帯電話で行うことが可能になってきた。
【０００３】
しかしながら、携帯電話は持ち運んで利用することが多い故に紛失や盗難の機会も多く、一旦手元を離れてしまうと、発見するのが困難であるという問題がある。したがって、こうした携帯端末について、遠隔から所在地を確認する要請が高まっている。
【０００４】
このような課題に対して、電源オフ状態であっても、紛失時の対応処理としての所在報知を能動的に実行できるようにする携帯端末装置及びプログラムが開示されている。
【先行技術文献】
【特許文献】
【０００５】
【特許文献１】特開２００７−２３５６５３号公報
【発明の概要】
【発明が解決しようとする課題】
【０００６】
特許文献１においては、携帯端末装置の電源オフ状態が「最終電源オフ日時」から所定時間（例えば、３日間）以上継続していたか否かを判別し、電源オフ状態が所定時間継続していれば、紛失時の対応処理として所在報知機能を起動させ、報知部からアラーム報知を行ったり、ＧＰＳ部から取得した現在位置を電話通信部から所定の通報先に対してメール送信する手法が開示されている。
【０００７】
しかしながら、この手法では現在位置の通知のタイミングが最終電源オフ日時に依存するため、即時に携帯端末の位置情報を知りたいという要請に応えられないという問題があった。
【０００８】
本発明は、これらの課題に鑑み、通話の着信やメッセージの受信を行った際、当該通話の発信元やメッセージの送信元を特定し、それらが位置情報の送信許可リストに入っている場合には端末の位置情報を通知する携帯端末、位置情報通知方法、及び携帯端末用プログラムを提供する事を目的とする。
【課題を解決するための手段】
【０００９】
本発明では、以下のような解決手段を提供する。
【００１０】
第１の特徴に係る発明は、他の端末との間で通話を行う通話機能と、端末の現在位置を取得する現在位置取得機能とを備えた携帯端末であって、
前記他の端末からの通話の着信を検知する着信検知手段と、
前記検知した着信について、発信元である前記他の端末の電話番号又は電話番号と同等な識別子である電話番号等を取得する電話番号取得手段と、
前記取得した電話番号等が、予め前記携帯端末の記憶部に記憶されている位置情報送信許可リストに含まれるか否かを判断する電話番号認証手段と、
前記判断の結果、前記取得した電話番号等が位置情報送信許可リストに含まれていた場合に、前記着信した通話に応答し、前記携帯端末の現在位置を、当該通話を介して通知する現在位置通知手段と、
を備えることを特徴とした携帯端末を提供する。
【００１１】
第１の特徴に係る発明によれば、他の端末との間で通話を行う通話機能と、端末の現在位置を取得する現在位置取得機能とを備えた携帯端末は、前記他の端末からの通話の着信を検知し、前記検知した着信について、発信元である前記他の端末の電話番号又は電話番号と同等な識別子である電話番号等を取得し、前記取得した電話番号等が、予め前記携帯端末の記憶部に記憶されている位置情報送信許可リストに含まれるか否かを判断し、前記判断の結果、前記取得した電話番号等が位置情報送信許可リストに含まれていた場合に、前記着信した通話に応答し、前記携帯端末の現在位置を、当該通話を介して通知する。
【００１２】
第１の特徴に係る発明は、携帯端末のカテゴリであるが、位置情報通知方法、及び携帯端末用プログラムであっても、カテゴリに応じた同様の作用、効果を奏する。
【００１３】
第２の特徴に係る発明は、他の端末との間でメッセージの送受信を行うメッセージ送受信機能と、端末の現在位置を取得する現在位置取得機能とを備えた携帯端末であって、
前記他の端末からのメッセージの受信を検知するメッセージ受信検知手段と、
前記検知した受信に係るメッセージについて、送信元である前記他の端末のメールアドレス又はメールアドレスと同等な識別子であるメールアドレス等を取得するメールアドレス取得手段と、
前記取得したメールアドレス等が、予め前記携帯端末の記憶部に記憶されている位置情報送信許可リストに含まれるか否かを判断するメールアドレス認証手段と、
前記判断の結果、前記取得したメールアドレス等が位置情報送信許可アドレスであった場合に、前記受信したメッセージに返信し、前記携帯端末の現在位置を、当該返信メッセージを介して通知する現在位置通知手段と、
を備えることを特徴とした携帯端末を提供する。
【００１４】
第２の特徴に係る発明によれば、他の端末との間でメッセージの送受信を行うメッセージ送受信機能と、端末の現在位置を取得する現在位置取得機能とを備えた携帯端末は、前記他の端末からのメッセージの受信を検知し、前記検知した受信に係るメッセージについて、送信元である前記他の端末のメールアドレス又はメールアドレスと同等な識別子であるメールアドレス等を取得し、前記取得したメールアドレス等が、予め前記携帯端末の記憶部に記憶されている位置情報送信許可リストに含まれるか否かを判断し、前記判断の結果、前記取得したメールアドレス等が位置情報送信許可アドレスであった場合に、前記受信したメッセージに返信し、前記携帯端末の現在位置を、当該返信メッセージを介して通知する。
【００１５】
第３の特徴に係る発明は、前記メッセージがショートメッセージングサービスを介して送信されたものであって、前記メールアドレス等が電話番号である時に、前記現在位置通知手段において、返信メッセージではなく当該電話番号に対して通話を発信し、当該通話を介して前記携帯端末の現在位置を通知することを特徴とした第２の特徴に係る発明である携帯端末を提供する。
【００１６】
第３の特徴に係る発明によれば、第２の特徴に係る発明である携帯端末は、前記メッセージがショートメッセージングサービスを介して送信されたものであって、前記メールアドレス等が電話番号である時に、前記現在位置通知手段において、返信メッセージではなく当該電話番号に対して通話を発信し、当該通話を介して前記携帯端末の現在位置を通知する。
【００１７】
第４の特徴に係る発明は、前記携帯端末に対して操作が行われた時刻と、当該時刻における当該携帯端末の位置情報とを記憶部に記憶させる移動履歴記録手段を備え、
前記現在位置通知手段において、前記携帯端末の現在位置に加えて、過去に当該携帯端末に対して操作が行われた時刻と、当該時刻における当該携帯端末の位置情報との少なくともいずれかを送信することを特徴とした第１から第３のいずれかの特徴に係る発明である携帯端末を提供する。
【００１８】
第４の特徴に係る発明によれば、第１から第３のいずれかの特徴に係る発明である携帯端末は、前記携帯端末に対して操作が行われた時刻と、当該時刻における当該携帯端末の位置情報とを記憶部に記憶させ、前記現在位置通知手段において、前記携帯端末の現在位置に加えて、過去に当該携帯端末に対して操作が行われた時刻と、当該時刻における当該携帯端末の位置情報との少なくともいずれかを送信する。
【００１９】
第５の特徴に係る発明は、他の端末との間で通話を行う通話機能と、端末の現在位置を取得する現在位置取得機能とを備えた携帯端末が実行する位置情報通知方法であって、
前記他の端末からの通話の着信を検知するステップと、
前記検知した着信について、発信元である前記他の端末の電話番号又は電話番号と同等な識別子である電話番号等を取得するステップと、
前記取得した電話番号等が、予め前記携帯端末の記憶部に記憶されている位置情報送信許可リストに含まれるか否かを判断するステップと、
前記判断の結果、前記取得した電話番号等が位置情報送信許可リストに含まれていた場合に、前記着信した通話に応答し、前記携帯端末の現在位置を、当該通話を介して通知するステップと、
を備えることを特徴とした位置情報通知方法。
【００２０】
第６の特徴に係る発明は、
他の端末との間で通話を行う通話機能と、端末の現在位置を取得する現在位置取得機能とを備えた携帯端末に、
前記他の端末からの通話の着信を検知するステップ、
前記検知した着信について、発信元である前記他の端末の電話番号又は電話番号と同等な識別子である電話番号等を取得するステップ、
前記取得した電話番号等が、予め前記携帯端末の記憶部に記憶されている位置情報送信許可リストに含まれるか否かを判断するステップ、
前記判断の結果、前記取得した電話番号等が位置情報送信許可リストに含まれていた場合に、前記着信した通話に応答し、前記携帯端末の現在位置を、当該通話を介して通知するステップ、
を実行させることを特徴とした携帯端末用プログラム。
【発明の効果】
【００２１】
本発明によれば、通話の着信やメッセージの受信を行った際、当該通話の発信元やメッセージの送信元を特定し、それらが位置情報の送信許可リストに入っている場合には端末の位置情報を通知する携帯端末、位置情報通知方法、及び携帯端末用プログラムを提供することが可能となる。
【図面の簡単な説明】
【００２２】
【図１】図１は、本発明の好適な実施形態である位置情報通知システム１の概要図である。
【図２】図２は、位置情報通知システム１の全体構成図である。
【図３】図３は、携帯端末１０、通信端末１５０の機能ブロックと各機能の関係を示す図である。
【図４】図４は、携帯端末１０、通信端末１５０が実行する位置情報通知処理のフローチャート図である。
【図５】図５は、位置情報を通知中の携帯端末１０の画面の一例である。
【図６】図６は、携帯端末１０の記憶部に記憶された位置情報送信許可リスト２５の一例である。
【図７】図７は、携帯端末１０の記憶部に記憶された移動履歴リスト２４の一例である。
【発明を実施するための形態】
【００２３】
以下、本発明を実施するための最良の形態について図を参照しながら説明する。なお、これはあくまでも一例であって、本発明の技術的範囲はこれに限られるものではない。
【００２４】
［位置情報通知システム１の概要］
図１は、本発明の好適な実施形態である位置情報通知システム１の概要を説明するための図である。この図１に基づいて、位置情報通知システム１の概要を説明する。
【００２５】
初めに、通信端末１５０は、電話回線網４を介して、携帯端末１０に対して通話を発信する（ステップＳ０１）。ここで、携帯端末１０と通信端末１５０が公衆回線網３を介して通信可能に接続されているときは、通話の発信は電話回線網４でなく、公衆回線網３を介して行っても良い。
【００２６】
次に、携帯端末１０は通話の着信を検知し、通話の発信元の電話番号を取得すると、記憶部に記憶された位置情報送信許可リストと照合し、位置情報の送信が許可されているかを確認する（ステップＳ０２）。
【００２７】
そして、発信元の電話番号が位置情報送信許可リストに含まれていた場合には、ＧＰＳ５から端末の現在位置を取得する（ステップＳ０３）。
【００２８】
最後に、携帯端末１０は初めに着信した通話に応答すると、音声によって位置情報を通知する（ステップＳ０４）。
【００２９】
なお、このような機能を着信の度に発揮するのが不都合である場合には、着信から一定時間の呼び出し後に機能を発揮したり、着信後の音声メニューにおいて、特定の数字キーを押し下げる事によって機能を発揮させたりしてよい。後者の場合には、数字キーの押し下げ等によるパスワード入力によって更に発信者の認証を行ってもよい。以上が、位置情報通知システム１の概要である。
【００３０】
［位置情報通知システムのシステム構成］
図２は、位置情報通知システム１の全体構成図である。位置情報通知システム１において、携帯端末１０と通信端末１５０は、電話回線網４、及び公衆回線網３を介して通信可能に接続されている。また、携帯端末１０は、ＧＰＳ５との通信手段を備える。
【００３１】
携帯端末１０は、通話機能とＧＰＳによる測位機能を備えた、ユーザが利用する一般的な情報端末であってよく、後述する機能を備える携帯可能な情報機器である。携帯端末１０は、例えば、携帯電話、スマートフォン、ネットブック端末、スレート端末、電子書籍端末、電子辞書端末、携帯型音楽プレーヤ、携帯型コンテンツ再生・録画プレーヤ等の一般的な情報家電であってよい。ここでいう通話機能は必ずしも電話回線網４を介して行う必要はなく、公衆回線網３を介したアプリケーションやＷＥＢサービスによって発揮可能であってよい。
【００３２】
通信端末１５０は、通話機能と通信機能を備えた情報端末である。なお通信端末１５０は携帯端末である必要はなく、据え置き型の固定電話や、デスクトップコンピュータ等であってよい。
【００３３】
［各機能の説明］
図３は、携帯端末１０、通信端末１５０の機能ブロックと各機能の関係を示す図である。
【００３４】
携帯端末１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部として、例えば、ＩＥＥＥ８０２．１１に準拠したＷｉＦｉ（Ｗｉｒｅｌｅｓｓ  Ｆｉｄｅｌｉｔｙ対応デバイス又は、第３世代移動通信システム等のＩＭＴ−２０００規格に準拠した無線デバイス等と、ＧＰＳデバイスを備える。また、携帯端末１０は、入出力部として、制御部で制御したデータや画像、音声を出力表示する出力部を備え、かつ、ユーザからの入力を受付けるタッチパネルやキーボード、マウス、マイク等の入力部を備える。これらの通信部と入出力部をあわせて、通信・入出力部１２とする。
【００３５】
加えて、携帯端末１０は、記憶部１３として、ハードディスクや半導体メモリによる、データのストレージ部を備える。記憶部１３には、移動履歴リスト２４、及び位置情報送信許可リスト２５が記憶されている。
【００３６】
携帯端末１０において、制御部１１が所定のプログラムを読み込むことで、通信・入出力部１２と協働して、現在位置取得モジュール１４、着信検知モジュール１５、電話番号取得モジュール１６、メッセージ受信検知モジュール１７、メールアドレス取得モジュール１８、現在位置通知モジュール１９を実現する。また、携帯端末１０において、制御部１１が所定のプログラムを読み込むことで、記憶部１３と協働して、電話番号認証モジュール２０、メールアドレス認証モジュール２１、移動履歴記憶モジュール２２を実現する。
【００３７】
通信端末１５０は、同様に、制御部１５１として、ＣＰＵ，ＲＡＭ，ＲＯＭ等を備え、通信部として、例えば、ＩＥＥＥ８０２．１１に準拠したＷｉＦｉ対応デバイスとを備える（有線であってもよい）。また、通信端末１５０は、入出力部として、制御部で制御したデータや画像、音声を出力表示する出力部を備え、かつ、ユーザからの入力を受付けるタッチパネルやキーボード、マウス、マイク等の入力部を備える。これらの通信部と入出力部をあわせて、通信・入出力部１５２とする。
【００３８】
通信端末１５０の制御部１５１が所定のプログラムを読み込むことで、通信・入出力部１５２と協働して、通話発信モジュール１５３、メッセージ送信モジュール１５４を実現する。
【００３９】
［位置情報通知処理］
図３は、携帯端末１０、通信端末１５０が実行する位置情報通知処理のフローチャートである。上述した各装置のモジュールが行う処理について、本処理にて併せて説明する。
【００４０】
初めに、通信端末１５０の通話発信モジュール１５３は、携帯端末１０に対して通話を発信する（ステップＳ１１）。
【００４１】
次に、携帯端末１０の着信検知モジュール１５が通信端末１５０からの着信を検知すると（ステップＳ１２）、電話番号取得モジュール１６が、発信元である通信端末１５０の電話番号を取得する（ステップＳ１３）。
【００４２】
ここで、通話が電話回線網４ではなく、公衆回線網５を通じて発信された、特定のサービスやアプリケーションを介したボイスチャット等であった場合には、電話番号でなく、当該サービスにおけるＩＤといった識別子を代わりに取得する。すなわち、通話の発信元を特定するための識別子であればよく、電話番号と同等である識別子を取得すればよい。
【００４３】
次に、電話番号認証モジュール２０は、位置情報送信許可リストと、取得した発信元の電話番号を照合し、発信元が位置情報送信許可リスト２５に含まれるか否かを判断する（ステップＳ１４）。
【００４４】
図６は、携帯端末１０の記憶部に記憶された位置情報送信許可リスト２５の一例である。位置情報を送信してよいユーザのユーザ名、電話番号とメールアドレスとが関連付けられて記憶されている。
【００４５】
ここで、電話番号認証モジュール２０による判断の結果、発信元の電話番号が位置情報送信許可リスト２５に含まれていなかった場合（ステップＳ１５：「ＮＯ」の場合）には、位置情報の通知を行わず、そのまま本処理を終了する。一方で、含まれていた場合（ステップＳ１５：「ＹＥＳ」の場合）には、位置情報を通知するため、続けて以下の処理を行う。
【００４６】
次に現在位置取得モジュール１４は、ＧＰＳデバイス等の位置情報取得機能を用いて、携帯端末１０の現在位置を取得する（ステップＳ１６）。
【００４７】
続けて、移動履歴記憶モジュール２２が、記憶部の移動履歴リスト２４から、最後に記憶された操作と位置情報を読み出す（ステップＳ１７）。
【００４８】
図７は、携帯端末１０の記憶部に記憶された移動履歴リスト２４の一例である。移動履歴記憶モジュール２２は、携帯端末１０において操作が行われた時に、当該操作と、操作が行われた時刻と、そのときの位置情報とを関連付けて移動履歴リスト２４に記憶させる。この情報を、位置情報の通知時に付加して送信することで、情報を紛失時や盗難時の情報収集に役立てることが可能となる。すなわち、紛失をして他人に操作された等の場合に、その操作された時間と場所を通知することができる。ここでは、位置情報は緯度と経度の組み合わせで記憶されているが、住所等であってもよい。
【００４９】
次に、現在位置通知モジュール１９は通信端末１５０からの通話に応答すると、その通話の中で、前記取得した現在の位置情報や、移動履歴を音声にて発信する（ステップＳ１９）。通信端末１５０は、その通話を受けることで、位置情報を音声で受信することができる（ステップＳ２０）。
【００５０】
図５は、現在位置を音声で通知中の携帯端末１０の画面の一例である。着信のあった電話番号５１と共に、位置情報送信許可リスト内で関連付けられたユーザ名５２が画面に表示され、現在位置を通知中である旨のメッセージ５３が表示される。ここで、位置情報をユーザに通知する場合に、緯度や経度による表現では分かりにくいため、位置情報と対応する住所や施設名で表現してもよい。なお、音声は予め録音された音声メッセージや、合成音声であってよい。
【００５１】
ところで、ここでは通話の発着信を例に挙げたが、本処理は通話をメッセージの送受信に置き換えてもそのまま成立する。すなわち、着信検知モジュール１５をメッセージ受信検知モジュール１７に、電話番号取得モジュール１６をメールアドレス取得モジュール１８に、電話番号認証モジュール２０をメールアドレス認証モジュール２１に替えても、本発明は成立し、同様の作用、効果を奏する。
【００５２】
なお、便宜上メッセージの宛先をメールアドレスと表現しているが、メッセージの送信先が識別できれば、電子メールである必要はなく、ＳＭＳやチャットであってよい。特に、ＳＭＳのようにメッセージの送信元の情報が通話の発信先として利用可能である時には、位置情報の通知はメッセージの返信によって行ってもよいし、通話をこちらから発信して、音声によって通知してもよい。
【００５３】
以上が、位置情報通知処理の手順である。
【００５４】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００５５】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５６】
１  位置情報通知システム、３  公衆回線網、４  電話回線網、５  ＧＰＳ、１０  ユーザ端末、１５０  通信端末、２４  移動履歴リスト、２５  位置情報送信許可リスト
【図１】
2015012511.tif 000003
【図２】
2015012511.tif 000004
【図３】
2015012511.tif 000005
【図４】
2015012511.tif 000006
【図５】
2015012511.tif 000007
【図６】
2015012511.tif 000008
【図７】
2015012511.tif 000009